(57)【特許請求の範囲】
【請求項１】
着脱自在に装着される工具に回転力を付与し、架空線の工事を行うための全天候型の遠隔回転操作具であって、
軸方向を有する外筒、
前記外筒と軸中心を共有するように前記外筒と径方向に間隔を隔てて、前記外筒内に配設される内筒、
前記内筒の軸方向の一方側に固定して連結される操作軸、
前記操作軸に回転力を付与する回転力付与機構、
前記外筒の軸方向の一方側に固定して連結されるとともに、前記操作軸を回動自在に支持する軸受部を備えた操作軸支持部、
前記内筒の軸方向の他方側に固定して連結されるとともに、前記操作軸の回動に連動して前記工具に前記回転力を伝達する伝達部材、および
前記外筒の軸方向の他方側に固定して連結されるとともに、前記伝達部材を回動自在に支持する軸受部を備えた伝達部材支持部を含み、
前記伝達部材支持部は、前記工具が前記伝達部材に着脱自在に装着されるように、前記工具を案内する案内部を含み、
前記操作軸は、軸方向の中間部の外周面に、前記外筒の軸方向の一方側の内周面と摺動するジャーナル部を含み、前記操作軸の前記ジャーナル部は、前記操作軸の軸方向に間隔を隔てて形成される複数の環状凹部を有し、前記環状凹部と前記外筒の内周面との間には、浸水を防止するシール部が配設され、
前記伝達部材は、軸方向の中間部の外周面に、前記伝達部材支持部の内周面と摺動するジャーナル部を含み、前記伝達部材の前記ジャーナル部は、前記伝達部材の軸方向に間隔を隔てて形成される複数の環状凹部を有し、前記環状凹部と前記伝達部材支持部の内周面との間には、浸水を防止する他のシール部が配設されていることを特徴とする、遠隔回転操作具。
【請求項２】
前記外筒の軸方向の一方側と前記操作軸支持部との連結部、および、前記外筒の軸方向の他方側と前記伝達部材支持部との連結部には、さらに他のシール部が配設されていることを特徴とする、請求項１に記載の遠隔回転操作具。
【請求項３】
前記伝達部材支持部および前記伝達部材支持部の周辺の外周面を被覆するようにして、別のシール部が配設されていることを特徴とする、請求項１または請求項２に記載の遠隔回転操作具。
【請求項４】
前記外筒および前記内筒は、絶縁材料で形成されていることを特徴とする、請求項１〜請求項３のいずれか１項に記載の遠隔回転操作具。
【発明の詳細な説明】
【技術分野】
【０００１】
本発明は、遠隔回転操作具に関し、例えば、架空線に関係する各種工具を用いて架空配電線路を支持するために必要な電柱，鉄塔等の支持物および架空線への各種付属物の取付けおよび取外し作業の他、架空配電線路を形成するための各種活線作業を行なうために用いられて好適なものであって、特に、雨天においても安全に作業を実施することができる、遠隔回転操作具に関する。
【背景技術】
【０００２】
従来、各種活線作業を行なう際には、ホットスティック等の活線工事用長尺工具が用いられている。例えば、架空電線の配線工事等の活線作業において、特に、雨天の時でも、使用することができる活線工事用長尺工具としての全天候型操作棒（例えば、特許文献１参照。）が提案されている。
この全天候型操作棒は、着脱自在に連結される工具ユニットに対して回転力を伝達し、架空電線の工事作業を行う全天候型操作棒であって、基体となる固定パイプと、この固定パイプに回転自在に貫挿された操作パイプと、この操作パイプの下端部に挿入され、一体として回転するように固定されたシャフトと、このシャフトに固定され、シャフトを回転させるハンドルと、固定パイプと操作パイプとの摺動部に配設され、操作パイプの上端部を支持する上部エンドカバーと、操作パイプの下端部を支持する下部エンドカバーと、上部エンドカバーと操作パイプとを一体として回転するように連結する連結部材と、上部エンドカバーの上部に固定され、工具ユニットに回転力を伝達するジョイントと、工具ユニットの接続部材に接続され、工具ユニットと全天候型操作棒を一体化して固定するためのガイドとを、備えている。
この従来の全天候型操作棒において、例えば活線作業に係る各種の工具ユニットに回転を伝える回転部材は、固定パイプの中空部に挿入された操作パイプと、操作パイプの下端部に固定したシャフトと、シャフトの角部に装着されてこの操作パイプを回転させるハンドルと、操作パイプの上端部に装着した上部エンドカバーと、この上部エンドカバーに固定したジョイントと、から構成されていている。
【先行技術文献】
【特許文献】
【０００３】
【特許文献１】特開２００８−２５３０５９号公報
【発明の概要】
【発明が解決しようとする課題】
【０００４】
しかしながら、この従来の全天候型操作棒では、ハンドルを回転させることにより、シャフトと一体的に回転する操作パイプと、工具ユニットに回転力を伝達するジョイントとの間に、上部エンドカバーが介在している。そのため、操作パイプから工具ユニットへの回転力の伝達経路において回転力の伝達ロスが生じる。この場合、効率的に回転を伝達することができず、延いては、各種工具ユニットを用いた活線作業の効率化を図る上で支障を来たすものとなっている。
また、この従来の全天候型操作棒では、当該全天候型操作棒と工具ユニットを接続するために、ジョイントの他に、工具ユニットの接続部材と接続されるガイドが必要であり、その接続構造も複雑なものとなっている。すなわち、ガイドの内周側には、円周方向に間隔を隔てて複数の接続用兼廻り止め用の突起部が設けられている。一方、工具ユニットの下端部には、円周方向に間隔を隔てて複数のＵ字溝を有する円筒形の接続部材が突出して設けられている。この場合、ガイドの突起部と接続部材のＵ字溝とを嵌合させて位置合わせが行われた後、工具ユニットの六角棒状のボス部がガイドのジョイントの六角穴に挿入され、さらに、工具ユニット側のナットがガイドのねじ部と螺合されることによって、全天候型操作棒と工具ユニットとが接続されて固定される。
また、この従来の全天候型操作棒では、ハンドルの回転→シャフトの回転→操作パイプの回転→上部エンドカバーの回転→ジョイントの回転→工具ユニットの回転に至る回転伝達経路に設けられる回転部材に、操作パイプおよび固定パイプに対して複雑な取付け構造を有するものが多く含まれている。そのため、複雑な取付け構造に起因して、雨水の浸入を防止するために、この全天候型操作棒では、必要以上により多くの密封部材が配置されている。さらに、操作棒の軸方向にみて、上端部から下端部へ流れる恐れのある電流を遮断するために、この全天候型操作棒では、当該操作棒の下端部と上端部を除く中間部のすべての部品を絶縁材料で形成する必要が生じている。すなわち、この従来の全天候型操作棒では、より多くの密封部材と絶縁部材を必要とするために、製造コストも高くついていた。【０００５】
それゆえに、本発明の主たる目的は、効率的に回転を伝達することができ、回転伝達経路における回転部材の取付け構造が簡単で、且つ、各種工具との接続構造も簡易となっている、遠隔回転操作具を提供することである。
【課題を解決するための手段】
【０００６】
請求項１に係る本発明は、着脱自在に装着される工具に回転力を付与し、架空線の工事を行うための全天候型の遠隔回転操作具であって、軸方向を有する外筒と、外筒と軸中心を共有するように外筒と径方向に間隔を隔てて外筒内に配設される内筒と、内筒の軸方向の一方側に固定して連結される操作軸と、操作軸に回転力を付与する回転力付与機構と、外筒の軸方向の一方側に固定して連結されると共に操作軸を回動自在に支持する軸受部を備えた操作軸支持部と、内筒の軸方向の他方側に固定して連結されると共に操作軸の回動に連動して工具に回転力を伝達する伝達部材と、外筒の軸方向の他方側に固定して連結されると共に伝達部材を回動自在に支持する軸受部を備えた伝達部材支持部とを含み、伝達部材支持部は、工具が伝達部材に着脱自在に装着されるように、前記工具を案内する案内部を含み、操作軸は、軸方向の中間部の外周面に、外筒の軸方向の一方側の内周面と摺動するジャーナル部を含み、操作軸のジャーナル部は、操作軸の軸方向に間隔を隔てて形成される複数の環状凹部を有し、環状凹部と外筒の内周面との間には、浸水を防止するシール部が配設され、伝達部材は、軸方向の中間部の外周面に、伝達部材支持部の内周面と摺動するジャーナル部を含み、伝達部材のジャーナル部は、伝達部材の軸方向に間隔を隔てて形成される複数の環状凹部を有し、環状凹部と伝達部材支持部の内周面との間には、浸水を防止する他のシール部が配設されていることを特徴とする、遠隔回転操作具である。
請求項２に係る本発明は、請求項１に係る発明に従属する発明であって、外筒の軸方向の一方側と操作軸支持部との連結部と、外筒の軸方向の他方側と伝達部材支持部との連結部とには、さらに他のシール部が配設されていることを特徴とする、遠隔回転操作具である。
請求項３に係る本発明は、請求項１または請求項２に係る発明に従属する発明であって、伝達部材支持部および伝達部材支持部の周辺の外周面を被覆するようにして、別のシール部が配設されていることを特徴とする、遠隔回転操作具である。
請求項４に係る本発明は、請求項１〜請求項３のいずれか１項に係る発明に従属する発明であって、外筒および内筒は、絶縁材料で形成されていることを特徴とする、遠隔回転操作具である。
【発明の効果】
【０００７】
本件の発明によれば、効率的に回転を伝達することができ、回転伝達経路における回転部材の取付け構造が簡単で、且つ、各種工具との接続構造も簡易となっている、遠隔回転操作具を提供することができる。
すなわち、請求項１に係る本発明の遠隔回転操作具の構成によれば、回転力付与機構によって操作軸に付与された回転力は、内筒と伝達部材との最短の回転伝達経路によって、回転力が効率的に工具に付与することができる。そのため、例えば、各種工具ユニットを用いた活線作業の効率化を図ることができる。また、操作軸が内筒の軸方向の一方側に連結され、且つ、伝達部材が内筒の軸方向の他方側に連結されるだけで、操作軸、内筒および伝達部材が一体となって回転するので、回転部材の取付け構造が極めて簡単なものとなっている。さらに、伝達部材支持部は、工具を伝達部材に着脱自在に装着可能に案内する案内部を含むため、簡易に工具を接続することができる。
また、操作軸のジャーナル部の複数の環状凹部と外筒の内周面との間に配設されたシール部によって、その間から内側への浸水を防止することができる。同様に、伝達部材のジャーナル部の複数の環状凹部と伝達部材支持部の内周面との間に配設された他のシール部によって、その間から内側への浸水を防止することができる。
また、請求項２に係る本発明の遠隔回転操作具の構成によれば、外筒と操作軸支持部との連結部、および、外筒と伝達部材支持部との連結部に配設されたさらに他のシール部によって、その間から内側への浸水を防止することができる。そのため、より一層、浸水を防止することができる。
また、請求項３に係る本発明の遠隔回転操作具の構成によれば、伝達部材支持部および伝達部材支持部の周辺の外周面に被覆された別のシール部によって、外筒と伝達部材支持部との連結部から内側への浸水を防止することができる。そのため、請求項２に係る発明との相乗効果によって、より一層、浸水を防止することができる。
また、請求項４に係る本発明の遠隔回転操作具の構成によれば、外筒および内筒が絶縁材料で形成されているため、操作軸から伝達部材に至る経路において、絶縁材料で形成された内筒によって、金属体の連接が遮断される。そのことにより、この遠隔回転操作具の先端側から手元側に電流路が形成されることを遮断することができる。したがって、例えば、活線作業における感電事故を防止することができる。
【０００８】
本発明の上述の目的、その他の目的、特徴及び利点は、図面を参照して行う以下の発明を実施するための形態の説明から一層明らかとなろう。
【図面の簡単な説明】
【０００９】
【図１】本発明の実施形態に係る遠隔回転操作具の一例を示す一部省略全体図であって、（Ａ）はその平面図であり、（Ｂ）はその正面図である。
【図２】図１に示す遠隔回転操作具の各部材の連結構造を示す部分断面図である。
【図３】図１および図２に示す遠隔回転操作具の要部の連結構造を示す分解平面図である。
【図４】図１および図２に示す遠隔回転操作具の他の要部の連結構造を示す分解正面図である。
【図５】図１および図２に示す遠隔回転操作具のさらに他の要部の連結構造を示す分解正面図である。
【図６】図１および図２に示す遠隔回転操作具の先端側の連結構造を示す断面図であって、図２の要部拡大図である。
【図７】図１および図２に示す遠隔回転操作具の先端側の連結構造を示す平面図であって、図１の（Ａ）の要部拡大図である。
【図８】図１および図２に示す遠隔回転操作具の手元側の連結構造を示す断面図であって、図２の他の要部拡大図である。
【図９】本発明の実施形態に係る遠隔回転操作具の他の例の各部材の連結構造を示す部分断面図である。
【発明を実施するための形態】
【００１０】
図１は、本発明の実施形態に係る遠隔回転操作具の一例を示す一部省略全体図であって、（Ａ）はその平面図であり、（Ｂ）はその正面図である。図２は、図１に示す遠隔回転操作具の各部材の連結構造を示す部分断面図である。
この遠隔回転操作具１０は、着脱自在に装着される工具に回転力を付与し、架空線の工事を行うための全天候型の遠隔回転操作具であって、軸方向を有するたとえば円筒状の外筒１２を含む。外筒１２の中には、外筒１２と軸中心を共有するようにして、軸方向を有するたとえば円筒状の内筒１４が配設されている。内筒１４は、外筒１２と半径方向に間隔を隔てて、外筒１２内に配設されている。内筒１４の外径は、外筒１２の外径よりも小さく形成されている。外筒１２および内筒１４は、例えば、吸湿性の少ないエポキシ樹脂系強化プラスチック（ＦＲＰ）からなる絶縁性を有する材料で形成されている。
【００１１】
内筒１４の軸方向の一方側には、たとえば図２および図３に示すように、当該内筒１４と固定して連結される操作軸１６が配設されている。内筒１４の軸方向の他方側には、内筒１４と固定して連結される伝達部材１８が配設されている。また、操作軸１６には、当該操作軸１６に回転力を付与する回転力付与機構２０が連結されている。伝達部材１８は、操作軸１６の回動に連動して、工具（図示せず）に回転力を伝達している。
【００１２】
外筒１２の軸方向の一方側には、図２および図４に示すように、当該外筒１２と固定して連結されるとともに、操作軸１６を回動自在に支持する操作軸支持部２２が配設されている。外筒１２の軸方向の他方側には、当該外筒１２と固定して連結されるとともに、伝達部材１８を回動自在に支持する伝達部材支持部２４が配設されている。伝達部材支持部２４には、工具（図示せず）が伝達部材１８に着脱自在に装着可能となるように、当該工具（図示せず）を伝達部材１８に案内する案内部２６が配設されている。
【００１３】
操作軸１６は、たとえば図４および図８に示すように、軸部本体２８を含む。軸部本体２８の軸方向の中間部には、たとえば４つの鍔片３０ａ，３０ｂ，３０ｃおよび３０ｄを有する拡径部３２が形成されている。隣り合う４つの鍔片３０ａ，３０ｂ，３０ｃおよび３０ｄ間には、３つの環状凹部３４ａ，３４ｂおよび３４ｃが構成される。そして、軸部本体２８は、その軸方向の一方側に、キー溝３６を有している。
【００１４】
この操作軸１６は、操作軸支持部２２より回動自在に支持されている。操作軸支持部２２は、外筒１２の軸方向の一端側に連結されている。操作軸支持部２２は、たとえば図８に示すように、筒状体で構成される支持部本体３８を含む。支持部本体３８の軸方向の一端側の内周面には、環状の溝部４０が配設されている。
【００１５】
また、支持部本体３８の軸方向の一端側の外周面には、操作軸１６を外筒１２に取付けるために、たとえば４つの取付け部４２が配設されている。この４つの取付け部４２は、支持部本体３８の外周面において、その周方向を４等分する位置に各々配設されている。４つの取付け部４２は、環状の溝部４０に対して、支持部本体３８の軸方向に間隔を隔てて配設されている。４つの取付け部４２は、それぞれ、たとえば断面円形の取付け孔４４を含む。取付け孔４４は、その内周面に、雌ネジ面（図示せず）を有する。４つの取付け部４２は、それぞれ、止めネジ等の締結手段を配置するために、取付け孔４４と連通する座ぐり穴４６を備えている。座ぐり穴４６には、Ｏリング等のシール部材を収容・セットするためのシール部ハウジング４８が配設されている。シール部ハウジング４８は、後述する止めネジ５２が挿通される貫通孔５０を有する。
【００１６】
操作軸支持部２２は、図４および図８に示すように、外筒１２の軸方向の一方側に、止めネジ５２により締結されて連結される。止めネジ５２は、シール部ハウジング４８の貫通孔５０および座ぐり穴４６を経由して取付け孔４４に挿入され、止めネジ５２の雄ネジ面と取付け孔４４の雌ネジ面（図示せず）とが螺合される。この場合、シール部ハウジング４８に配置されたＯリング等のシール部５４によって、取付け孔４４への浸水が防止されている。また、このシール部ハウジング４８は、座金の機能を兼用するものとなっている。
【００１７】
また、内筒１４の軸方向の一方側には、たとえば図２および図８に示すように、固定ピン（図示せず）により操作軸１６が固定されて連結される。また、内筒１４は、その軸方向の一方側の外周面に、たとえば断面円形のピン孔５６を有する。補助用の固定ピン（図示せず）を適宜ピン孔５６に挿入して固定することにより、操作軸１６と内筒１４とが、より一層強固に固定されるものとなっている。
また、操作軸支持部２２には、滑り軸受部５８と、スラスト軌道輪等の複数のスラスト軸受部６０とが組み込まれ、操作軸１６を回動自在に支持している。
【００１８】
内筒１４に固定して連結された操作軸１６は、操作軸支持部２２に回動自在に支持されるとき、操作軸１６の拡径部３２の外周面に、外筒１２と摺動される第１のジャーナル部６２が構成される。また、操作軸１６の外周面には、滑り軸受部５８と摺動される第２のジャーナル部６４が構成され、さらに、スラスト軸受部６０と摺動される第３のジャーナル部６６が構成される。
【００１９】
さらに、支持部本体３８の軸方向の他端側には、回転力付与機構２０が取外し自在に連結される。回転力付与機構２０は、たとえば図２，図５および図８に示すように、筒状のギヤボックス７０を含む。ギヤボックス７０は、その軸方向の中間部の上端側に、回転駆動源となる後述の回転操作部８０が接続される入力口部７２を有し、その軸方向の一端側に、回転操作部８０からの回転駆動力が出力される出力口部７４を有する。また、ギヤボックス７０の軸方向の他端側には、後述のハンドル操作支援部１０８が連結される連結口部７６を備えている。
【００２０】
操作軸支持部２２とギヤボックス７０とは、ネジ結合等の連結手段により取外し自在に連結されている。この場合、支持部本体３８の軸方向の他端側の外周面には、たとえば雄ネジ面７８Ａが配設されている。また、ギヤボックス７０の軸方向の一端側の内周面には、雄ネジ面７８Ａと螺合される雌ネジ面７８Ｂが配設されている。雄ネジ面７８Ａと雌ネジ面７８Ｂとを螺合させることによって、操作軸支持部２２とギヤボックス７０とは、取外し自在に連結される。
【００２１】
回転操作部８０は、図２に示すように、たとえば手動で回転操作されるハンドル部としてのたとえばラチェットハンドル８２を含む。ラチェットハンドル８２の先端側には、連結駆動軸８４が配設されている。この連結駆動軸８４は、図２，図５および図８に示すように、ソケット等の継手部材８６に着脱自在に挿入されるものとなっている。継手部材８６は、駆動側かさ歯車８８に、たとえば圧入されて固着されている。継手部材８６は、駆動側かさ歯車８８と一体となって回動自在となる。駆動側かさ歯車８８に組み込まれた継手部材８６は、滑り軸受部９４と、スラスト軌道輪等の複数のスラスト軸受部９６とにより、駆動側軸受ハウジング９０に回動自在に支持されている。
【００２２】
この駆動側軸受ハウジング９０は、たとえば図１の（Ａ）に示すように、止めネジ，止めボルト等の固着手段９２により、ギヤボックス７０の上端面に固着されている。駆動側軸受ハウジング９０は、図８に示すように、筒状のハウジング本体９８を含み、ハウジング本体９８は、挿通部１００を有する。駆動側軸受ハウジング９０は、ギヤボックス７０の入力口部７２側と接続される下端側に、段差部１０２を備えている。上記した継手部材８６は、滑り軸受部９４および複数のスラスト軸受９６に嵌挿された状態で、ハウジング本体９８の挿通部１００に嵌挿され、さらに、駆動側かさ歯車８８に固定される。このとき、複数のスラスト軸受部９６は、段差部１０２において、挿通部１００の軸方向と直交する方向に位置する段差面１０２ａに当接して係止される。駆動側かさ歯車８８は、ギヤボックス７０の入力口部７２から当該ギヤボックス７０内に突出するように配設されている。
【００２３】
ギヤボックス７０の軸方向の一端側には、ラチェットハンドル８２、連結駆動軸８４、継手部材８６、駆動側かさ歯車８８を経由して、回転操作部８０からの回転駆動力が出力される出力口部７４が配設されている。このギヤボックス７０の出力口部７４には、駆動側かさ歯車８８に咬合する従動側かさ歯車１０４が配設されている。この従動かさ歯車１０４は、図８に示すように、操作軸１６の軸部本体２８の軸方向の他方側に固定される。操作軸１６の軸部本体２８と、従動かさ歯車１０４とキー溝３６との間には、キー１０６が嵌め込まれている。そのため、操作軸１６と従動かさ歯車１０４との間に、スベリが起こらないように、従動かさ歯車１０４と操作軸１６とを一体的に回転させることが可能となる。
なお、上記した一対の駆動側かさ歯車８８および従動側かさ歯車１０４は、回転操作部８０のラチェットハンドル８２の回転操作により得られた回転駆動力を伝達する方向を、ラチェットハンドル８２の連結駆動軸８４の軸方向から、操作軸１６の軸方向へと変更する伝達方向変更機能を有するものとなっている。
【００２４】
また、ギヤボックス７０の軸方向の他端側には、図２，図５および図８に示すように、連結口部７６に、ハンドル操作支援部１０８が配設されている。ハンドル操作支援部１０８は、手元側において、回転操作部８０のラチェットハンドル８２の操作を補助・調整する機能を有するものである。このハンドル操作支援部１０８は、たとえば円筒状のハンドル操作支援筒部１１０を含む。ハンドル操作支援筒部１１０は、外筒１２および内筒１４と同様に、例えば、吸湿性の少ないエポキシ樹脂系強化プラスチック（ＦＲＰ）からなる絶縁性を有する材料で形成されている。
ハンドル操作支援筒部１１０の軸方向の一方側は、その外周面に、複数の接続用のピン孔１１１を有している。複数の接続用のピン孔１１１は、ハンドル操作支援筒部１１０の外周面において、その周方向を４等分する位置に各々配設されている。さらに、ハンドル操作支援筒部１１０の軸方向の他方側には、当該ハンドル操作支援筒部１１０の開口部１１０Ａを閉塞するように、キャップ部１１２が配設されている。キャップ部１１２は、ゴム等の弾性および絶縁性を有する材料で形成されている。
また、ギヤボックス７０において、連結口部７６の近傍には、環状の溝部１１４が配設されている。この環状の溝部１１４は、ギヤボックス７０の軸方向の他端側の内周面に配設されている。
【００２５】
次に、上記した操作軸１６の回動に連動して、工具（図示せず）に回転力を伝達する伝達部材１８および伝達部材１８を回動自在に支持する伝達部材支持部２４について、図１，図２，図３，図４，図６および図７を適宜参照しながら、以下、説明する。
すなわち、内筒１４の軸方向の他方側には、内筒１４と固定して連結される伝達部材１８が配設されている。伝達部材１８は、たとえば図２，図３および図６に示すように、軸部本体１１６を含む。軸部本体１１６の軸方向の中間部には、たとえば３つの鍔片１１８ａ，１１８ｂおよび１１８ｃを有する拡径部１２０が形成されている。隣り合う３つの鍔片１１８ａ，１１８ｂ，および１１８ｃ間には、環状凹部１２２ａおよび１２２ｂが構成される。軸部本体１１６は、その軸方向の一端から拡径部１２０に至る部位がヘッド部１１６Ａとして形成され、その軸方向の他端から拡径部１２０に至る部位が胴部１１６Ｂとして形成される。
また、軸部本体１１６は、その軸方向の一方側に開口部１２４を有し、開口部１２４は、たとえば断面視６角形の嵌合凹部１２６が形成されている。
【００２６】
この伝達部材１８は、伝達部材支持部２４により回動自在に支持されている。伝達部材支持部２４は、外筒１２の軸方向の他端側に連結されている。伝達部材支持部２４は、たとえば図６に示すように、筒状体で構成される支持部本体１２８を含む。支持部本体１２８は、その軸方向の一端側から他端側に、漸次、内径の長さが大きくなるたとえば４つの挿通孔１３０Ａ，１３０Ｂ，１３０Ｃおよび１３０Ｄを有している。つまり、挿通孔１３０Ａの直径をφ１とし、挿通孔１３０Ｂの直径をφ２とし、挿通孔１３０Ｃの直径をφ３とし、挿通孔１３０Ｄの直径をφ４としたとき、φ１＜φ２＜φ３＜φ４となるように、４つの挿通孔１３０Ａ〜１３０Ｄが配設されている。
この場合、挿通孔１３０Ａおよび１３０Ｂは、案内部２６としての機能を有するものである。また、挿通孔１３０Ｃは、伝達部材１８の軸部本体１１６のヘッド部１１６Ａが挿入されて嵌合されるヘッド嵌合部１３２としての機能を有する。さらに、挿通孔１３０Ｄは、伝達部材１８の軸部本体１１６の胴部１１６Ｂが挿入されて嵌合される胴部嵌合部１３４としての機能を有する。
【００２７】
また、支持部本体１２８の軸方向の一端側の内周面には、環状の溝部１３６が配設されている。
さらに、支持部本体１２８の軸方向の他端側の外周面には、伝達部材１８を外筒１２に取付けるために、たとえば４つの取付け部１３８が配設されている。この４つの取付け部１３８は、支持部本体１２８の外周面において、その周方向を４等分する位置に各々配設されている。４つの取付け部１３８は、環状の溝部１３６に対して、支持部本体１２８の軸方向に間隔を隔てて配設されている。４つの取付け部１３８は、それぞれ、たとえば断面円形の取付け孔１４０を含む。取付け孔１４０は、その内周面に、雌ネジ面（図示せず）を有する。４つの取付け部１３８は、それぞれ、止めネジ等の締結手段を配置するために、取付け孔１４０と連通する座ぐり穴１４２を備えている。座ぐり穴１４２には、Ｏリング等のシール部材を収容・セットするためのシール部ハウジング１４４が配設されている。シール部ハウジング１４４は、後述する止めネジ１４８が挿通される貫通孔１４６を有する。
【００２８】
伝達部材支持部２４は、図４および図６に示すように、外筒１２の軸方向の他方側に、止めネジ１４８により締結されて連結される。止めネジ１４８は、シール部ハウジング１４４の貫通孔１４６および座ぐり穴１４２を経由して取付け孔１４０に挿入され、止めネジ１４８の雄ネジ面１５０と取付け孔１４０の雌ネジ面（図示せず）とが螺合される。この場合、シール部ハウジング１４４に配置されたＯリング等のシール部１５２によって、取付け孔１４０への浸水が防止されている。また、このシール部ハウジング１４４は、座金の機能を兼用するものとなっている。
【００２９】
また、内筒１４の軸方向の他方側には、たとえば図２および図８に示すように、固定ピン（図示せず）により伝達部材１８が固定されて連結される。また、内筒１４は、その軸方向の他方側の外周面に、たとえば断面円形のピン孔１５４を有する。補助用の固定ピン（図示せず）を適宜ピン孔１５４に挿入して固定することにより、伝達部材１８と内筒１４とが、より一層強固に固定されるものとなっている。
また、伝達部材支持部２４には、滑り軸受部１５６が組み込まれ、伝達部材１８を回動自在に支持している。
【００３０】
さらに、伝達部材支持部２４の支持部本体１２８は、その軸方向の一端側の外周面に、たとえば１つの断面円形のピン孔１５８を有している。このピン孔１５８は、支持部本体１２８の軸方向の一端側の外周面において、当該支持部本体１２８の中心軸線に直交する方向で且つその半径方向の一方側に位置するように配設されている。
【００３１】
内筒１４に固定して連結された伝達部材１８は、伝達部材支持部２４に回動自在に支持されるとき、伝達部材１８の拡径部１２０の外周面に、伝達部材支持部２４と摺動される第１のジャーナル部１６０が構成される。また、伝達部材１８の軸方向の一端側の外周面には、滑り軸受部１５６と摺動される第２のジャーナル部１６２が構成される。
【００３２】
伝達部材支持部２４には、架空線に関係する活線作業等に用いられる各種工具（図示せず）が、伝達部材１８の嵌合凹部１２６に着脱自在に装着可能となるように、当該工具（図示せず）を伝達部材１８に案内する案内部２６が配設されている。すなわち、既述したように、伝達部材支持部２４の支持部本体１２８において、挿通孔１３０Ａおよび１３０Ｂの部位が、案内部２６として構成されている。
【００３３】
この案内部２６には、たとえば図４に示すように、支持部本体１２８の軸方向の一端側のピン孔１５８が連通されている。ピン孔１５８の内周面には、雌ネジ面１５８ａが形成されている。そして、ピン孔１５８には、図１および図４に示すように、ロックピン１６８が装着されている。ロックピン１６８は、たとえば図７に示すように、工具ユニット装着手段１７７（図７の二点鎖線で示される）に組み込まれた状態で、伝達部材支持部２４に着脱自在に装着されている。
【００３４】
ロックピン１６８は、軸部１７０を含む。軸部１７０の軸方向の一端側には、頭部１７２が形成されている。また、軸部１７０の軸方向の他端側には、雄ネジ面１７４が形成されている。さらに、軸部１７０の軸方向の中間部には、その周囲にスプリング等の付勢部材１７６が巻回されている。さらに、頭部１７２には、つまみ部１７８が嵌着されている。ロックピン１６８は、その雄ネジ面１７４がピン孔１５８の雌ネジ面１５８ａに螺合されることにより、ピン孔１５８に取付けられる。
【００３５】
一方、工具ユニット装着手段１７７は、たとえば図７に示すように、係止開口部１７９を備えている。工具ユニット装着手段１７７が伝達部材支持部２４に装着されたときに、ロックピン１６８のつまみ部１７８の首部１７８ａは、付勢部材１７６の弾発力により、係止開口部１７９の周縁端に係止される。つまり、ロックピン１６８が工具ユニット装着手段１７７にロックされた状態となる。そのため、案内部２６を経由して伝達部材１８の嵌合凹部に装着された工具（図示せず）は、不用意に抜け出ることがない。
【００３６】
反対に、つまみ部１７８を付勢部材１７６の弾発力に抗して引き上げた状態では、つまみ部１７８の首部１７８ａが、伝達部材支持部２４の係止開口部１７９から離間した状態となる。そのため、工具ユニット装着手段１７７にロックピン１６８がロックされた状態は、解除される。したがって、伝達部材支持部２４から工具ユニット装着手段１７７を取外し、当該伝達部材支持部２４の案内部２６から工具（図示せず）を取外すことが可能となっている。
【００３７】
次に、操作軸１６、伝達部材１８およびギヤボックス７０の周辺の浸水防止構造について、たとえば図６および図８を参照しながら説明する。
すなわち、操作軸支持部２２では、図８に示すように、操作軸１６の拡径部３２の環状凹部３４ａに、Ｙパッキン等のシール部１８０が配設されている。環状の凹部３４ｂには、Ｏリング等のシール部１８２が配設されている。環状凹部３４ｃに、Ｙパッキン等のシール部１８４が配設されている。つまり、操作軸１６の外周面と内筒１４の内周面との摺動部に、シール部１８４が配設されている。
また、操作軸支持部２２において、支持部本体３８の軸方向の一端側の内周面に設けられた環状の溝部４０には、Ｏリング等のシール部１８６が配設されている。つまり、外筒１２の軸方向の一方側と操作軸支持部２２との連結部に、シール部１８６が配設されている。
さらに、ギヤボックス７０において、連結口部７６の近傍に配設された環状の溝部１１４には、Ｏリング等のシール部１８８が配設されている。つまり、ギヤボックス７０とハンドル操作支援部１０８のハンドル操作支援筒部１１０との連結部に、シール部１８６が配設されている。
【００３８】
一方、伝達部材支持部２４では、図６に示すように、伝達部材１８の環状の凹部１２２ａおよび１２２ｂに、それぞれ、Ｙパッキン等のシール部１９０および１９２が配設されている。つまり、外筒１２の軸方向の他方側と伝達部材支持部２４との連結部に、シール部１９０および１９２が配設されている。つまり、伝達部材１８の拡径部１２０の外周面と伝達部材支持部２４の内周面との摺動部に、シール部１９０および１９２が配設されている。
また、支持部本体１２８の軸方向の一端側の内周面に設けられた環状の溝部１３６には、Ｏリング等のシール部１９４が配設されている。つまり、外筒１２の軸方向の他方側と伝達部材支持部２４との連結部に、シール部１９４が配設されている。
【００３９】
さらに、伝達部材支持部２４および伝達部材支持部２４の周辺の外周面には、たとえば図１および図７に示すように、当該外周面を被覆するようにして、撥水性および絶縁性を有する収縮チューブ等のシール部１９６が配設されている。
【００４０】
また、この遠隔回転操作具１０では、外筒１２の軸方向の中間部において、外筒１２の先端側から、順次、軸方向に間隔を隔てて、雨切り傘部１９８、安全限界傘部２００、グリップ用カバー部２０２および２０４が配設されている。雨切り傘部１９８および安全限界傘部２００は、フッ素樹脂等の撥水作用を有する絶縁材料で形成されている。
また、グリップ用カバー部２０２は、安全限界傘部２００と操作軸支持部２２との間の外筒１２の外周面に被覆されている。さらに、グリップ用カバー部２０４は、操作軸支持部２２の外周面に被覆されている。グリップ用カバー部２０２および２０４は、この遠隔回転操作具１０を把持するときの把持部としての機能を有するものである。グリップ用カバー部２０２および２０４は、ＥＰＤＭ（エチレン・プロピレンゴム）等の撥水性を有する絶縁材料で形成されている。
なお、グリップ用カバー部２０２および２０４の表面には、滑り止め用の凹凸リブ２０２ａおよび２０４ａが、それぞれ、形成されている。
【００４１】
雨切り傘部１９８および安全限界傘部２００は、雨中の作業で遠隔回転操作具１０の表面を流れる雨水が手元側に流れてくることを防止している。つまり、各種の工具（図示せず）と接続された遠隔回転操作具１０を使用する場合には、当該遠隔回転操作具１０の先端側を上向きに支持し、ラチェットハンドル８２を下向きにして垂直な姿勢で、使用される。そのため、雨水は、工具（図示せず）から外筒１２に伝わり、雨切り傘部１９８および安全限界傘部２００に到達すると、当該雨切り傘部１９８および安全限界傘部２００の傘部のテーパ形状の作用によって、その周辺に飛散する。したがって、雨切り傘部１９８および安全限界傘部２００は、雨水が手元側に流れてくることによる雨水の連続した流れを分断し、つまり、電流路を遮断し、感電の危険を防止する機能を有している。
【００４２】
また、安全限界傘部２００は、当該把持部と把持部以外の部分とを区別を明らかにするためのものであり、把持部（グリップ用カバー部２０２および２０４）を握る手がそれより上に移動することを防止している。
【００４３】
さらに、ハンドル操作支援部１０８は、例えば、そのハンドル操作支援筒部１１０の端部を身体の腹部等に押し当てて支持させた場合、上記した把持部（グリップ用カバー部２０２および２０４）を握る手を離すことができ、離した手をラチェットハンドル８２に握り代えることができる。すなわち、ハンドル操作支援筒部１１０の端部を支点にした場合、当該把持部（グリップ用カバー部２０２および２０４）を持つ手で、この遠隔回転操作具１０を支持するときの微妙な調整が可能となる。
【００４４】
図９は、本発明の実施形態に係る遠隔回転操作具の他の例の各部材の連結構造を示す部分断面図である。
この実施形態に係る遠隔回転操作具３００は、上述の遠隔回転操作具１０に比べて、特に、外筒１２および内筒１４の軸方向の長さがコンパクトに短く形成されている点で相違している。遠隔回転操作具３００を構成する部材の配置および構造については、上述の遠隔回転操作具１０と同様である。外筒１２および内筒１４の軸長は、遠隔回転操作具が使用される作業環境に応じて、適宜、調整され得るものである。
【００４５】
上述した本発明に係る実施形態の遠隔回転操作具１０では、回転力付与機構２０によって操作軸１６に付与された回転力が、内筒１４と伝達部材１８との最短の回転伝達経路によって、効率的に工具（図示せず）に付与することができる。そのため、例えば、各種の工具ユニットを用いた活線作業の効率化を図ることができる。また、操作軸１６を内筒１４の軸方向の一方側に連結し、且つ、伝達部材１８を内筒１４の軸方向の他方側に連結するだけで、操作軸１６、内筒１４および伝達部材１８が一体となって回転するので、回転系部材の取付け構造が極めて簡単なものとなっている。さらに、伝達部材支持部２４は、工具（図示せず）を伝達部材１８に着脱自在に装着可能に案内する案内部２６を含むため、簡易に工具（図示せず）を接続することができる。
【００４６】
また、遠隔回転操作具１０では、操作軸１６の第１のジャーナル部６２の複数の環状凹部３４ａ，３４ｂ，３４ｃと外筒１２の内周面との間に配設されたシール部１８０，１８２，１８４によって、その間から内側への浸水を防止することができる。同様にして、伝達部材１８の第１のジャーナル部１６０の複数の環状凹部１２２ａ，１２２ｂと伝達部材支持部２４の内周面との間に配設された他のシール部１９０，１９２によって、その間から内側への浸水を防止することができる。
【００４７】
また、この遠隔回転操作具１０では、外筒１２と操作軸支持部２２との連結部に配設された、さらに他のシール部１８６、および、外筒１２と伝達部材支持部２４との連結部に配設されたさらに他のシール部１９４によって、それらの連結部から内側への浸水を防止することができる。そのため、上記したシール部１８０，１８２，１８４と、シール部１９０，１９２との相乗効果によって、より一層、浸水を防止することができる。
【００４８】
また、この遠隔回転操作具１０では、伝達部材支持部２４および伝達部材支持部２４の周辺の外周面に被覆された別のシール部１９６によって、外筒１２と伝達部材支持部２４との連結部から内側への浸水を防止することができる。そのため、上記したシール部１８０，１８２，１８４と、シール部１９０，１９２と、シール部１８６，１９４と、シール部１９６との相乗効果によって、より一層、浸水を防止することができる。
【００４９】
また、この遠隔回転操作具１０では、外筒１２および内筒１４が絶縁材料で形成されているため、操作軸１６から伝達部材１８に至る経路において、絶縁材料で形成された内筒１４によって、金属体の連接が遮断される。そのことにより、この遠隔回転操作具１０の先端側から手元側に電流路が形成されることを遮断することができる。したがって、例えば、活線作業における感電事故を防止することができる。
【００５０】
また、この遠隔回転操作具１０では、ラチェットハンドル８２の回転操作による極めて簡単な操作で、回転駆動力を操作軸１６に容易に伝達させることができる。
【００５１】
本発明の実施形態に係る遠隔回転操作具１０によれば、効率的に回転を伝達することができ、回転伝達経路における回転系部材の取付け構造が簡単で、且つ、各種工具との接続構造も簡易なものとすることができる。
【符号の説明】
【００５２】
１０，３００  遠隔回転操作具
１２  外筒
１４  内筒
１６  操作軸
１８  伝達部材
２０  回転力付与機構
２２  操作軸支持部
２４  伝達部材支持部
２６  案内部
２８  軸部本体
３０ａ，３０ｂ，３０ｃ，３０ｄ  鍔片
３２，１２０  拡径部
３４ａ，３４ｂ，３４ｃ，１２２ａ，１２２ｂ  環状凹部
３６  キー溝
３８，１２８  支持部本体
４０，１１４，１３６  環状の溝部
４２，１３８  取付け部
４４，１４０  取付け孔
４６，１４２  座ぐり穴
４８，１４４  シール部ハウジング
５０，１４６  貫通孔
５２，１４８  止めネジ
５４，１５２，１８０，１８２，１８４，１８６，１８８，１９０，１９２，１９４，１９６  シール部
５６，１１１，１５４，１５８  ピン孔
５８，９４，１５６  滑り軸受部
６０，９６  スラスト軸受部
６２，１６０  第１のジャーナル部
６４，１６２  第２のジャーナル部
６６  第３のジャーナル部
７０  ギヤボックス
７２  入力口部
７４  出力口部
７６  連結口部
７８Ａ，１５０，１７４  雄ネジ面
７８Ｂ  雌ネジ面
８０  回転操作部
８２  ラチェットハンドル
８４  連結駆動軸
８６  継手部材
８８  駆動側かさ歯車
９０  駆動側軸受ハウジング
９２  固着手段
９４  滑り軸受部
９６  スラスト軸受部
９８  ハウジング本体
１００  挿通部
１０２  段差部
１０２ａ  段差面
１０４  従動側かさ歯車
１０６  キー
１０８  ハンドル操作支援部
１１０  ハンドル操作支援筒部
１１１  ピン孔
１１２  キャップ部
１１４  環状の溝部
１１６  軸部本体
１１６Ａ  ヘッド部
１１６Ｂ  胴部
１１８ａ，１１８ｂ，１１８ｃ  鍔片
１２０  拡径部
１２２ａ，１２２ｂ  環状凹部
１２４  開口部
１２６  嵌合凹部
１２８  支持部本体
１３０Ａ，１３０Ｂ，１３０Ｃ，１３０Ｄ  挿通孔
１３２  ヘッド嵌合部
１３４  胴部嵌合部
１３６  環状の溝部
１３８  取付け部
１４０  取付け孔
１４２  座ぐり穴
１４４  シール部ハウジング
１４６  貫通孔
１４８  止めネジ
１５０  雄ネジ面
１５２  シール部
１５４  ピン孔
１５６  滑り軸受部
１５８  ピン孔
１５８ａ  雌ネジ面
１６０  第１のジャーナル部
１６２  第２のジャーナル部
１６８  ロックピン
１７０  軸部
１７２  頭部
１７４  雄ネジ面
１７６  付勢部材
１７７  工具ユニット装着手段
１７８  つまみ部
１７８ａ  首部
１７９  係止開口部
１８０，１８２，１８４，１８６，１８８，１９０，１９２，１９４，１９６  シール部
１９８  雨切り傘部
２００  安全限界傘部
２０２，２０４  グリップ用カバー部
２０２ａ，２０４ａ  滑り止め用の凹凸リブ
φ１，φ２，φ３，φ４  挿通孔の直径
【図１】
0006778744.tif 000002
【図２】
0006778744.tif 000003
【図３】
0006778744.tif 000004
【図４】
0006778744.tif 000005
【図５】
0006778744.tif 000006
【図６】
0006778744.tif 000007
【図７】
0006778744.tif 000008
【図８】
0006778744.tif 000009
【図９】
0006778744.tif 000010